(57)【特許請求の範囲】
【請求項１】
ネットワークを介してクライアントコンピュータからアクセス可能に構成された、第１の電子商取引サイト及び第１の電子商取引決済システムを備える第１のモールシステムと、第２の電子商取引サイト及び第２の電子商取引決済システムを備える第２のモールシステムと、を備えるシステムにおける決済方法であって、
前記第１のモールシステムが、前記クライアントコンピュータから前記第１の電子商取引サイトに対するアクセスを受け付けると、前記第２の電子商取引サイトへのリンクを含むメイン画面を前記クライアントコンピュータに送信するステップと、
前記第２のモールシステムが、前記クライアントコンピュータから前記メイン画面を介して前記第２の電子商取引サイトへの前記リンクに対するアクセス要求を受け付けると、前記第１の電子商取引サイトからリンクがあった場合に入る専用のリンク商取引ページを前記クライアントコンピュータに表示させる工程と、
前記第２のモールシステムが、前記クライアントコンピュータに表示された前記専用のリンク商取引ページに対する顧客の操作に基づいて、前記第２の電子商取引決済システムが備える商品情報及び顧客情報を管理するデータベースの商品情報を検索し、前記リンク商取引ページを介して検索結果を前記クライアントコンピュータに表示させる工程と、
前記第２のモールシステムが、前記クライアントコンピュータにおいて前記リンク商取引ページにおいて商品購入を確定する操作が実行されると、購入商品情報を前記第１のモールシステムへ送信する工程と、
前記第１のモールシステムが、前記購入商品情報を受信すると、前記第１の電子商取引決済システムを用いて決済処理を実行する工程と、
前記第１のモールシステムが、前記第１の電子商取引決済システムによる前記決済処理の実行が完了すると、前記第２のモールシステムへ電子商取引受注情報を送出する工程と、を備え、
前記第１のモールシステムが商品情報及び顧客情報を管理するデータベースを有しない新規のバーチャルショップであり、前記第２のモールシステムが前記商品情報及び顧客情報を管理するデータベースを有する既存のバーチャルショップであり、
前記クライアントコンピュータを操作する顧客は第２のモールシステムに登録されていないことを特徴とする決済方法。
【発明の詳細な説明】
【０００１】
【産業上の利用分野】
本発明は、ネットワークを利用して、所定のデジタルコンテンツが構築された取引サイトにアクセスすることで、所望の商品又は情報を電子商取引するためのバーチャルショッピングシステムに関するものである。
【０００２】
【従来の技術】
従来、電子商取引サイト（単体ではバーチャルショップ、バーチャルショップの集合体であるモール）では、独自にデータベース保有し、完全に独立して商取引に必要な商品データ（画像、文字）、在庫、配送、決済を管理している。
【０００３】
また、電子商取引サイトでは、別の電子商取引サイトへのリンク先が顧客のブラウザーに表示されており、このリンク先をたどることで、目的の商品等を検索することができる。
【０００４】
例えば、ある特定の電子商取引サイトに入った顧客が、この電子商取引サイトに表示されているリンク先を見て、リンクすると、通常は単純にリンク先の電子商取引サイトへ顧客を渡したり、顧客のブラウザーの表示形態を複数のフレーム（ウィンドウ）に分け、それぞれ元の電子商取引サイトとリンク先の電子商取引サイトを表示することがなされている。
【０００５】
【発明が解決しようとする課題】
ところが、上記のようなリンク方法では、元の電子商取引サイトとリンク先の電子商取引サイトとの間で、実際の情報が送受信がなされておらず、元の電子商取引サイト側では、顧客がリンク先の電子商取引サイトで、どのような商品をいくらでどのくらい買ったか等の商取引情報が全くわからないことになる。
【０００６】
また、異なる２つの電子商取引サイトでは、独自に顧客情報や商品情報等のデータベースを保有しているが、このようなデータベースも共有することができないのが現状である。
【０００７】
これを解決するためには、元の電子商取引サイトを新規のモールとし、リンク先の電子商取引サイトを既存のモールとした場合に、新規のモールに対して既存のモールのデータベース情報を再入力すればよいが、入力のための時間と労力が膨大となるため、特に既存モールがサイバーモールのような巨大なショッピングモールや、商品の種類や数が多いＣＤ、ＤＶＤ、書籍、薬等を取り扱う電子商取引サイトの場合は現実的ではない。
【０００８】
また、一方のデータベースの情報が変更された場合、他方のデータベースの情報も別途変更処理しなければならず、データベースの二元化という問題が起こり得る。
【０００９】
本発明は上記事実を考慮し、複数の電子商取引サイトの間でリンク接続した状態で商取引を行う場合に、リンク先のデータベースを利用することでデータベースの二元化を防止することができ、かつ商取引決済は元の電子商取引サイトで行うことで顧客の商取引情報を元の電子商取引サイトで把握することができるバーチャルショッピングシステムを得ることが目的である。
【００１０】
【課題を解決するための手段】
本発明は、ネットワークを利用して、所定のデジタルコンテンツが構築された取引サイトにアクセスすることで、所望の商品又は情報を電子商取引するためのバーチャルショッピングシステムであって、独立に電子商取引決済システムを持つ、２以上の異なる電子商取引サイト間で、別の電子商取引サイトからのリンク接続があった場合に入る、専用のリンク商取引ページを準備しておき、顧客がアクセスした主電子商取引サイトから、別の副電子商取引サイトへリンクした場合に、当該副電子商取引サイトに予め準備されたリンク商取引ページを介して、前記副電子商取引サイトに構築されているデータベースを公開し、前記副電子商取引サイトでの取引を実行し、前記副電子商取引サイトでの商取引が確定した時点で、前記主電子商取引サイト専用の電子商取引決済システムを用いて決済を行い、かつ当該主電子商取引サイトから副電子商取引サイトへ電子商取引受注情報を送出する、ことを特徴としている。
【００１１】
また、上記発明において、前記主電子商取引サイトがデータベースを持たない新規のバーチャルショップであり、副電子商取引サイトがデータベースを持つ既存のバーチャルショップであることを特徴としている。
【００１２】
本発明によれば、通常の中・大型モール（バーチャルショップの集合体）が各カテゴリー、検索結果、商品案内、カートに入れる等のページを静的（STATIC）に生成するのではなく、動的（DYNAMIC）に生成していることに着目したものである。
【００１３】
すなわち、例えば、商品の数が１０００個のモールがあり、またその商品を紹介するページが同じく１０００ページ用意されている場合、このシステムは静的にページを生成するシステムである。このような静的システムでは、全商品案内ページに共通する項目（メーカー名、価格、商品名等）に削除、追加、更新の変更があると、全てのページに対して同様の削除、追加、更新の変更を行わなければならない。これは、かなりの時間と労力を必要とする。
【００１４】
このため、静的システムは前記中・大型モールでは採用せず、動的システムを採用する。
【００１５】
動的システムは、各ページに共通する項目の情報を、各ページではなく別途に用意されたデータベースシステムに保存しておき、ネットワークを通じて顧客のブラウザーからの要求で、値が入っていない空のページに対して、該当するデータをデータベースから参照し、生成して顧客のブラウザーに表示する。
【００１６】
このような動的システムに着目し、本発明は、主電子商取引サイトから副電子商取引サイトへリンクするとき、副電子商取引サイトに予め準備されたリンク商取引ページを介して副電子商取引サイトでの商取引を行い、購入確定を示す「カートに入れる」ボタンを操作したとき、主電子商取引システムへリンクするようにした。
【００１７】
すなわち、副電子商取引サイトでの取引を実行し、前記副電子商取引サイトでの商取引が確定した時点で、前記主電子商取引サイト専用の電子商取引決済システムを用いて決済を行う。
【００１８】
さらに、上記決済と同時に当該主電子商取引サイトから副電子商取引サイトへ電子商取引受注情報を送出する。
【００１９】
このように、複数の電子商取引サイトの間でリンク接続した状態で商取引を行う場合に、リンク先のデータベースを利用することでデータベースの二元化を防止することができる。
【００２０】
また、商取引決済は元の電子商取引サイトで行うことで顧客の商取引情報を元の電子商取引サイトで把握することができる。さらに、副電子商取引サイトにリンク商取引ページを置くことで、貴重な情報が入っている副電子商取引サイトのデータベースへの直接のアクセスを防ぐことになり、高いセキュリティ性を維持することができる。また、同一のサーバー（副電子商取引サイト）間での通信であるため、応答性もよい。
【００２１】
【発明の実施の形態】
図１には、本実施の形態に係るネットワーク（インターネット又はイントラネット）に接続されたバーチャルショッピングシステムの概略構成が示されている。
【００２２】
ネットワーク１０には、クライアントコンピュータ（顧客）１２が接続されており、このクライアントコンピュータ１２からアクセス可能なように新規モールシステム１４と既存モールシステム１６とが接続されている。
【００２３】
新規モールシステム１４は、既存モールシステム１６に対して後発のシステムであり、本実施の形態のバーチャールショッピングシステムにおける主電子商取引サイトに該当する。すなわち、クライアントコンピュータ１２が、この新規モールシステム１４に最初にアクセスすることが前提となっている。
【００２４】
この新規モールシステム１４の主体となるＷＥＢサーバー１８のＵＲＬは、「www.kata.com」とされ、顧客がアクセスすると、クライアントコンピュータ１２のブラウザには、メイン画面２０（図２（Ａ）参照）が表示されるようになっている。メイン画面２０には、前記既存モールシステム１６へのリンク先の表示がなされている。このリンク先ドメインは、「kizon.kata.com」である。
【００２５】
また、新規モールシステム１４にはカートシステム２２及び決済システム２４が設けられており、前記リンク先ドメイン「kizon.kata.com」において、購入した商品についての注文処理及び決済を行うようになっている。
【００２６】
一方、既存モールシステム１６は、新規モールシステム１４が存在する以前から、ネットワーク１０に接続されているものであり、この既存モールシステム１６の主体となるＷＥＢサーバー２６のＵＲＬは、「www.kizon.com」とされている。このＷＥＢサーバー２６には、商品検索や商品購入のための商品情報が表示されるメイン画面２８（図２（Ｂ）参照）が表示されるようになっている。ここで、既存モールシステム１６には、予め前記新規モールシステム１４からのリンクがあったときに表示されるリンク専用ページが準備されている。このリンク専用ページは、前記メイン画面２８と同一であるが、リンク専用ドメイン「kata.kizon.com」として設けられている。このため、新規モールシステム１４からリンクしてくる顧客は、実際には、このリンク専用ページを見て、商品の検索や購入を実行することになる。
【００２７】
この既存モールシステム１６には、データベース（ＤＢ）サーバー３０を有しており、商品情報や顧客情報等を一括管理している（動的システム）。
【００２８】
また、既存モールシステム１６にはカートシステム３２及び決済システム３４が設けられており、直接ＵＲＬ「www.kizon.com」から入った顧客に対して、購入した商品についての注文処理及び決済を行うようになっている。
【００２９】
図２には、新規モールシステム１４を介して、既存モールシステム１６へリンクした場合の、クライアントコンピュータ１２のブラウザに表示される画面の流れが示されている。
【００３０】
すなわち、図２（Ａ）は、顧客が最初に新規モールシステム１４を訪問（アクセス）したときに表示されるメイン画面２０であり、このメイン画面２０には、様々なリンク先が表示されている。このリンク先の中に、前記ドメイン名「kizon.kata.com」が存在し、顧客がこれを選択する（クリックする）と、図２（Ｂ）に示すＵＲＬ「www.kizon.com」である既存モールシステム１６の画面２８と同一のリンク専用ページ「kizon.kata.com」２８Ａが表示される（図２（Ｃ）参照）。
【００３１】
このとき、画面の表記は「kata.kizon.com」となっており、その一部（図２（Ｃ）の斜線部分）がリンク先の画面（ドメイン名「kizon.kata.com」）２８Ａとなっている。
【００３２】
顧客は、このリンク先の画面２８Ａを見ながら、既存モールシステム１６を訪問した場合と同等の操作手順で商品の検索、購入等の操作を実行することになる。
【００３３】
商品購入の際には、画面上の「カートに入れる」と表示されたスイッチボックス３６をクリックすることで実行される。
【００３４】
このスイッチボックス３６がクリックされると、リンク先ではなく元のサイト、すなわち、新規モールシステム１４のカートシステム２２及び決済システム２４が起動して、商品の注文並びに決済処理が実行されるようになっている（図２（Ｄ）参照）。これにより、新規モールシステム１４側で、既存モールシステム１６上での商取引情報を把握することができる。
【００３５】
前記商品の注文並びに決済処理が完了すると、新規モールシステム１４側では、既存モールシステム１６側へ当該商品の注文並びに決済処理情報を送出することで、既存モールシステム１６においても、商取引情報を認識することができる。
【００３６】
以下に本実施の形態の作用を図３の新規モールシステム１４と既存モールシステム１６間の通信プロトコルを参照しながら説明する。
【００３７】
ステップ１００では、顧客がクライアントコンピュータ１２を使って新規モールシステム１４（主電子商取引サイト）を訪問すると（図１の▲１▼参照）、クライアントコンピュータ１２のブラウザには、当該新規モールシステム１４のメイン画面２０が表示される（図２（Ａ）参照）。
【００３８】
このメイン画面２０には、複数のリンク先が表示されており、ステップ１０２では、顧客が既存モールシステム１６をリンク先として選択（クリック）する（図１の▲２▼参照）。
【００３９】
この選択（クリック）をトリガとして、ネットワーク１０を介して既存モールシステム１６にリンクの要求を送信する（図１の▲３▼参照）。
【００４０】
既存モールシステム１６では、リンクの要求を受けて、当該既存モールシステム１６に予め設けた新規モールシステム１４のためのリンク専用ページをクライアントコンピュータ１２のブラウザに表示する（ステップ１０４）。
【００４１】
顧客は、このリンク専用ページを見ながら、あたかも既存モールシステム１６の本来の商品選択画面を見ているのと同等の操作で商品の検索（ステップ１０６）、商品情報の確認（ステップ１０８）を実行し（図１の▲４▼参照）、ステップ１１０で最終的に購入商品を確定する。この確定は、画面上の「カートに入れる」というスイッチボックス３６のクリック操作による。
【００４２】
このスイッチボックス３６の操作がなされると、ステップ１１２では、購入商品情報を新規モールシステム１４へ送信する（図１の▲５▼参照）。
【００４３】
新規モールシステム１４では、この購入商品情報を受信すると（ステップ１１４）、新規モールシステム１４側のカートシステム２２が起動して、当該新規モールシステム１４側のカートに入れ（ステップ１１６）、次いでステップ１１８で決済システム２４を起動させて、決済及び注文処理を実行する（図１の▲６▼及び▲７▼参照）。
【００４４】
すなわち、既存モールシステム１６で行った商品の購入を新規モールシステム１４側で行うため、従来リンクした後の注文が不明であった新規モールシステム１４側においても、顧客の商品購入情報を把握することができる。
【００４５】
ステップ１１８で商品の決済及び注文処理が完了すると、ステップ１２０において当該決済及び注文処理を含む注文情報を既存モールシステム１６へ送信する（図１の▲８▼参照）。
【００４６】
この送信を受けて（ステップ１２２）、既存モールシステム１６側では、注文情報の処理、すなわち、実際の商品の発注に基づく、データベースの書き換え等の処理がなされ、その処理の結果を再度新規モールシステム１４へ送信する（ステップ１２４）。
【００４７】
新規モールシステム１４では、最終的な処理の結果を受信することで（ステップ１２６）、当該商品に関する全ての情報を認識する。
【００４８】
このように、本実施の形態では、新規モールシステム１４側にリンク先を表示した場合に、単純にリンク先へ顧客を案内するだけでなく、リンク先での顧客の商品の注文に関して、その決済や注文処理を新規モールシステム１４側で実行し、その内容を既存モールシステム１６側へ送出するようにしたため、最初に顧客が訪問した新規モールシステム１４での顧客管理が可能となる。
【００４９】
また、既存モールシステム１６では、リンク先専用のページを設けたため、新規モールシステム１４からリンクしてくる顧客（すなわち、既存モールシステム１６に登録されていない顧客）に対して、直接データベースサーバー３０へのアクセスはできず、セキュリティの面でも安全性が維持することができる。
【００５０】
さらに、互いに顧客に関する情報を共有することができるため、データベースの二元化を回避することができる。
【００５１】
なお、本実施の形態では、主電子商取引サイトである新規モールシステム１４はデータベースを持たない構成とし、副電子商取引サイトである既存モールシステム１６のみデータベースサーバー３０を持つ構成としたが、互いに異なるデータベースを持ち、相互に主電子商取引サイト又は副電子商取引サイトになり得る構成としてもよい。また、主電子商取引サイトと副電子商取引サイトとは、１：１の関係に限らず、複数：１、１：複数、複数：複数の関係であってもよい。
【００５２】
【発明の効果】
以上説明した如く本発明では、複数の電子商取引サイトの間でリンク接続した状態で商取引を行う場合に、リンク先のデータベースを利用することでデータベースの二元化を防止することができ、かつ商取引決済は元の電子商取引サイトで行うことで顧客の商取引情報を元の電子商取引サイトで把握することができるという優れた効果を有する。
【図面の簡単な説明】
【図１】本実施の形態に係るネットワークに接続されたバーチャルショッピングシステムの概略構成図である。
【図２】顧客のクライアントコンピュータブラウザに表示される画面の内容を示す証明図である。
【図３】新規モールシステムと既存モールシステム間の通信プロトコルを示す流れ図である。
【符号の説明】
１０    ネットワーク
１２    クライアントコンピュータ
１４    新規モールシステム
１６    既存モールシステム
１８    ＷＥＢサーバー１８
２０    メイン画面
２２    カートシステム
２４    決済システム
２６    ＷＥＢサーバー
２８    メイン画面
３０    データベースサーバー
３２    カートシステム
３４    決済システム
３６    スイッチボックス
【図１】
0004224848.tif 000002
【図２】
0004224848.tif 000003
【図３】
0004224848.tif 000004